(57)【要約】      （修正有）【課題】用紙補給の改善されたプリンターの提供。【解決手段】印刷用紙のロールのための少なくとも一つの支持体と、プリントヘッドを含むプリント部と、ロールからプリント部へと印刷用紙を搬送する手段と、下流搬送方向又は上流搬送方向に上記搬送手段を選択的に駆動する駆動手段と、印刷用紙を切断するプリント部の下流の切断手段と、印刷用紙の終端の通過を検知する手段と、印刷ジョブを入力し保存する手段を含み、プリントヘッドを制御し、印刷用紙終端の通過を示す検知手段からの信号を受信し、その後印刷ジョブを中断し、且つ駆動手段を停止する手段を含む制御手段とを有し、乾燥期間の間、切断手段の上流の印刷された印刷用紙を保持し、この乾燥時間の後、プリンターから放出すべく、上流方向の切断手段の上流に位置する乾燥された印刷用紙を再び搬送するために駆動手段を制御する。【選択図】図３
2004338382.tif 000002
【特許請求の範囲】
【請求項１】
印刷用ペーパーウェブのロール用の少なくとも一つの支持体と；
プリントヘッドを含むプリンターステーションと；
前記ロールから前記プリンターステーションへと印刷用ペーパーウェブを搬送する手段と；
下流搬送方向又は上流搬送方向へと前記搬送手段を選択的に駆動するのに適合された駆動手段と；
前記印刷用ペーパーウェブを切断する、前記プリンターステーションの下流の切断ステーションと；
前記ロールに供給され且つ前記プリンターステーションへの下流方向へと搬送される前記プリンターペーパーの端部分上の端部位置の通過を検知する手段と；
乾燥期間の間、前記切断手段の上流の印刷されたペーパーウェブを保持するように、且つ、前記乾燥時間の後、当該プリンターから排出すべく、前記切断手段の上流に配置された乾燥されたペーパーウェブ部分を上流方向へ再度搬送するための、前記駆動手段を制御するように、前記ペーパーウェブのロールの前記端部位置の通過を示す前記検知手段からの信号を受信し、その後前記印刷ジョブを中断し且つ前記駆動手段を不活性化する手段をさらに含む、印刷ジョブを入力し保存する手段を含み、前記プリントヘッドを制御する、制御手段；
とを備えたプリンター。
【請求項２】
前記検知手段は、前記ペーパーウェブの端部の通過を検知するように適合されていることを特徴とする請求項１に記載のプリンター。
【請求項３】
乾燥されるべき前記ペーパーウェブに存在するインクの乾燥の程度を感知する手段をさらに設け、該感知手段は、十分にインクが乾燥されていることを示す信号を供するように、前記制御手段に制御的に接続されていることを特徴とする１又は２に記載のプリンター。
【請求項４】
前記制御手段は、前記ペーパー及び／又は前記インク等に関連するデータを入力する手段と、該データに依存して前記乾燥期間の長さを同定する手段とを設けられていることを特徴とする請求項１乃至３のいずれか一項に記載のプリンター。
【請求項５】
前記制御手段は、前のロールの前記ペーパーウェブ部分の排出の後、次なる印刷用ペーパーウェブのロールに関して、中断された印刷ジョブを再開する前記プリントヘッドを制御するように適合されていることを特徴とする請求項１乃至４のいずれか一項に記載のプリンター。
【請求項６】
印刷用ペーパーウェブのロール用の少なくとも２つの支持体と；
放出される前のロールのペーパーウェブ部分が切断された後、前記搬送手段に制御的に係合しつつ前記の一つのロールの前記ペーパーウェブを供給する手段と；
を備えていることを特徴とする請求項１乃至５のいずれか一項に記載のプリンター。
【請求項７】
前記プリントヘッドは、熱溶融型インクを送達するのに適合されていることを特徴とする請求項１乃至６のいずれか一項に記載のプリンター。
【請求項８】
印刷用ペーパーウェブのロール用の少なくとも一つの支持体と；
プリントヘッドを含むプリンターステーションと；
前記ロールから前記プリンターステーションへと印刷用ペーパーウェブを搬送する手段と；
下流搬送方向又は上流搬送方向へと前記搬送手段を選択的に駆動するのに適合された駆動手段と；
前記印刷用ペーパーウェブを切断する、前記プリンターステーションの下流の切断ステーションと；
前記ロールに供給され且つ前記プリンターステーションへの下流方向へと搬送される前記プリンターペーパーの端部分上の端部位置の通過を検知する手段と；
印刷ジョブを入力し保存する手段を含み、前記プリントヘッドを制御する制御手段と；
を備え、
該制御手段は、前記ペーパーウェブのロールの前記端部位置の通過を示す前記検知手段からの信号を受信し、その後前記印刷ジョブを中断し且つ前記プリンターステーションの上流の前記ペーパーウェブ部分の除去を可能とする手段をさらに含み、且つ
前記制御手段は、前のロールの前記ペーパーウェブの除去の後、次なる印刷用ペーパーウェブのロールに関して中断された印刷ジョブを再開する前記プリントヘッドを制御するように適合されている、
ことを特徴とするプリンター。
【請求項９】
印刷用ペーパーウェブのロール用の少なくとも一つの支持体と；
プリントヘッドを含むプリンターステーションと；
前記ロールから前記プリンターステーションへと印刷用ペーパーウェブを搬送する手段と；
下流搬送方向又は上流搬送方向へと前記搬送手段を選択的に駆動するのに適合された駆動手段と；
前記印刷用ペーパーウェブを切断する、前記プリンターステーションの下流の切断ステーションと；
前記ロールに供給され且つ前記プリンターステーションへの下流方向へと搬送される前記プリンターペーパーの端部分上の端部位置の通過を検知する手段と；
印刷ジョブを入力し保存する手段を含み、前記プリントヘッドを制御し、前記ペーパーウェブのロールの端部位置の通過を示す前記検知手段からの信号を受信する手段をさらに含む、制御手段と；
前記検知手段と前記プリントヘッドとの間に存在するペーパーウェブの第１の長さを同定する手段と；
前記制御手段が前記信号を受信した際実行される前記印刷ジョブを完了するのに必要なペーパーウェブの第２の長さを同定する手段と；
前記第１の長さと前記第２の長さとを比較する手段と；
を備え、
前記制御手段は、前記比較の結果に依存して前記搬送手段を制御するのに適合されており、且つ
前記第２の長さが前記第１の長さよりも大きい場合、前記駆動手段を停止し、前記印刷ジョブを中断し、乾燥期間中、前記切断手段の上流の印刷されたペーパーウェブを保持し、該乾燥期間の後、当該プリンターから放出するように、上流方向における前記切断手段の上流に位置する乾燥されたペーパーウェブ部分を再び搬送するために前記駆動手段を制御する、
ことを特徴とするプリンター。
【請求項１０】
本願に添付した図面に関する記載文に述べられていることを特徴とする請求項１乃至９のいずれか一項に実質的に記載されたプリンター。
【請求項１１】
本願に添付した図面に関する記載文に述べられていることを特徴とする請求項１乃至１０のいずれか一項に実質的に記載された方法。
【発明の詳細な説明】
【技術分野】
【０００１】
本発明はプリンターに関する。特に、本発明は、ロール状の用紙の印刷に適合したプリンターに関する。
【背景技術】
【０００２】
ロール状の用紙の印刷に適合したプリンターは、印刷ジョブのシーケンスを印刷するのに使用される。印刷ジョブ全体に必要なペーパーウェブの長さは、ロール上に存在するペーパーウェブの長さに適合されてはいない。結果として、このプリンターは、ペーパーウェブの端部がプリントヘッドに接近する場合、印刷ジョブを実行するのに今だにビジー状態になっているであろう。
【０００３】
公知のプリンターは、ペーパーウェブの端部を検知するためのセンサーと、ペーパーウェブの端部が検知された際、プリントヘッドを停止するための制御手段とが設けてられている。このセンサーは、ロールとペーパーウェブ駆動ロールとの間に配置されている。更なる駆動／プレスロール組立品は、印刷ステーションの上流に直接配置されている。
【０００４】
プリンターが停止した後、プリンターは、新たな用紙ロールがプリンターに配置されており、（あるいは、第２のロールが既に使用されるプリンターに存在し）、且つ、新たなペーパーウェブのリーディング端部が駆動ロールを介して供給され、これにより印刷の再開のためにプリンターステーションへと供給されるべく、印刷ジョブを再び継続するための準備を整ってなければならない。新たなペーパーウェブが供給可能となる前に、プリンターに今だに存在する古いペーパーウェブは、プリンターから除去されなければならない。この古いペーパーウェブは、この端部がロールを通過するまで、さらに駆動／プレスロールにより搬送されてもよい。
【発明の開示】
【発明が解決しようとする課題】
【０００５】
その後、オペレーターは、プリンターテーブルからこの端部を取り上げなければならない。このことは、オペレーターに特別の注意を要求する。いかなる場合においても、延長した使用期間に関して、完全に不在モードにてプリンターを制御することを不可能とするオペレーターの存在が必要とされる。
【課題を解決するための手段】
【０００６】
一つの面に由来して、本発明は、印刷用ペーパーウェブのロールに関する少なくとも一つの支持体、プリントヘッドを含むプリンターステーション、印刷用ペーパーウェブをロールからプリンターステーションに搬送するための手段、下流の搬送方向又は上流の搬送方向へと選択的に搬送手段を駆動するのに適合された駆動手段、印刷用ペーパーウェブを切断するためのプリンターステーション下流の切断ステーション、ロールに供され、かつプリンターステーションの下流方向へ搬送された印刷用ペーパーの端部上の端部の通過を検知するための手段、並びに、印刷ジョブに入力し保存するための手段を含むプリントヘッドを制御するための制御手段を備え、上記の制御手段は、乾燥期間の間、上記切断手段の上流に印刷されたペーパーウェブを保持しプリンターから開放するように乾燥されたペーパーウェブを再び搬送するための駆動手段を制御するように、上記切断手段の上流に配置された乾燥されたペーパーウェブ部分をペーパーウェブのロールの端部位置の通過を示す上記検知手段からの信号を受信した後に印刷ジョブを停止し、且つ上記駆動手段を不活性化する手段をさらに有している、ことを特徴とするプリンターを供する。
【発明の効果】
【０００７】
本発明の目的は、オペレーターに特別の注意を要求することを改善することにある。
【０００８】
本発明のさらなる目的は、ペーパーウェブの一つのロールから、ペーパーウェブの新たなロールへの移り変わりの期間の間でさえ、不在モードにて制御可能なプリンターを供することである。
【発明を実施するための最良の形態】
【０００９】
本発明によるプリンターにおいて、部分的に印刷されたペーパーウェブの端部分は、インクにてその駆動表面が汚染されるリスクを伴うことなく駆動手段により後方へと引き抜かれてもよい。結果として、プリンターの下流部分において、プリンターテーブルからペーパーウェブの端部部分を除去する必要はない。同時に、駆動手段がペーパーウェブの端部分を放出した後、新たなロールのリーディング端部分は、通常の様式に上記の駆動手段に係合されてもよく、この駆動ロールは、その後、通常の駆動方向へと再び戻される。
【００１０】
有利なことに、上記の検知手段は、ペーパーウェブの端部の通過を検知するのに適合されている。
【００１１】
本発明によるプリンターのさらなる開発において、プリンターは、乾燥されるペーパーウェブ部分に存在するインクの乾燥度合いを感知する手段をさらに設けられている。この感知手段は、インクが十分乾燥されていることを示す信号を供するため、上記の制御手段に制御的に接続されている。この方式において、乾燥時間は、特定の実際の条件に自動的に調節（ａｄｊｕｓｔ）され、可能な限り短く保たれる。例の手段により、熱溶融型インクの場合、乾燥時間は、数分以上であってもよい一方で、他のタイプのインクは、数秒の乾燥時間であってもよい。
【００１２】
代替的あるいは追加的に、上記の制御手段は、用紙及び／又はインクの質に関連するデータを入力するための手段と、このデータに依存した乾燥時間の長さを同定するための手段とを設けられていてもよい。この場合、オペレーターは、一つ以上のペーパーウェブのロールに必要な印刷ジョブのシリーズを開始するにあたり必要なデータを入力してもよく、且つ、ペーパーウェブの端部が検知されると、必要とされる乾燥時間が既に確定されており、上記の制御手段に知らされている。
【００１３】
本発明によるプリンターに関する有利なさらなる開発において、上記の制御手段は、前のロールのペーパーウェブ部分を排出した後、次なる印刷用ペーパーウェブのロールに関して、中断された印刷ジョブを再開するプリントヘッドを制御すべく適合されている。従って、この面においても、プリンターは、オペレーターによる注意を必要としない。
【００１４】
一つの実施例において、プリンターは、印刷用ペーパーウェブのロールのための少なくとも２つの支持体と、前のロールの切断されたペーパーウェブ部分が放出された後、１つのロールのペーパーウェブを上記の搬送手段と制御的に係合すべく供給するための手段と、を備えている。
【００１５】
他の面において、本発明は、印刷用ペーパーウェブのロールのための少なくとも一つの支持体と、プリントヘッドを含むプリンターステーションと、印刷用ペーパーウェブをロールからプリンターステーションへと搬送するための手段と、下流の搬送方向や上流の搬送方向へと搬送手段を選択的に駆動するために適合された駆動手段と、印刷用ペーパーウェブを切断するためのプリンターステーションの下流の切断ステーションと、ロールから供給され且つプリンターステーションの下流方向へと搬送される印刷用ペーパーの端部の端部位置の通過を検知するための手段と、印刷ジョブを入力し保存するための手段を含むプリントヘッドを制御するための制御手段とを備え、前記の制御手段は、信号を受信するための手段をさらに有し、この信号は上記の検知手段に由来し、ペーパーウェブのロールの端部位置の通過を示し、その後、印刷ジョブを中断し、プリンターステーションの上流のペーパーウェブ部分の除去を可能とし、上記の制御手段は、前のロールのペーパーウェブ部分が除去された後、印刷用ペーパーウェブの次なるロールのための、中断された印刷ジョブを再開するプリントヘッドを制御するのに適合されている、ことを特徴とするプリンターを供する。
【００１６】
更なる面によると、本発明は、印刷用ペーパーウェブのロールのための少なくとも一つの支持体と、プリントヘッドを含むプリンターステーションと、印刷用ペーパーウェブをロールからプリンターステーションへと搬送するための手段と、下流の搬送方向や上流の搬送方向へと搬送手段を選択的に駆動するために適合された駆動手段と、印刷用ペーパーウェブを切断するためのプリンターステーションの下流の切断ステーションと、ロールから供給され且つプリンターステーションの下流方向へと搬送される印刷用ペーパーの端部の端部位置の通過を検知するための手段と、印刷ジョブを入力し保存するための手段を含むプリントヘッドを制御するための制御手段とを備え、前記の制御手段は、ペーパーウェブのロールの端部位置の通過を示す上記の検知手段からの信号を受信するための手段をさらに有しており、上記の検知手段と上記のプリントヘッドとの間に存在するペーパーウェブの第１の長さを同定するための手段と、当該制御手段が上記の信号を受信した際に実行される印刷ジョブを実行するために必要なペーパーウェブの第２の長さを同定するための手段と、上記の第１の長さと上記の第２の長さとを比較するための手段とを備え、上記の制御手段は、上記の比較の結果に依存して上記の搬送手段を制御するのに適合されており、上記の第２の長さが上記の第１の長さよりも大きい場合、上記の駆動手段を停止し、上記の印刷ジョブを中断し、乾燥時間の間上記の切断手段の上流の印刷用ペーパーウェブを保持し、この乾燥時間の後にプリンターから放出すべく上流方向における上記の切断手段の上流に配置されている乾燥されたペーパーウェブ部分を再び搬送するため上記の駆動手段を制御する、ことを特徴とするプリンターを供する。
【実施例】
【００１７】
添付した図面に示された例示的な実施例に基づいて本発明を説明する。
【００１８】
図１乃至３ではプリンター１を概略的に示しており、プリンター１は、ウェブ供給ステーション２とプリンターステーション３を視認できるフレーム１００を備えている。
【００１９】
プリンターステーション３は、方向Ａの前後に移動可能なプリントヘッド４を備えている。プリントヘッド４は、ペーパーカッター１２が配置されている右側端部のプリンターテーブル１１上に配置されている。
【００２０】
供給ステーション２において、ペーパーウェブＷの２つのロール５ａ、５ｂは、他の上に配置されており、上のロール５ｂは、伸縮自在の支持体１３により支持されている。下のペーパーロール５ａは、図示されていない、方向ＢにペーパーウェブＷを供給すべく曲線の矢印の方向へと巻き付けられていない手段により支持されている。
【００２１】
ペーパーウェブＷを供給ステーション２からプリンターステーション３へと搬送することに関し、２つの駆動ロール６ａ、６ｂは、ロール５ａの下流の短い距離に配置されており、加えて、駆動／圧力ロール組立品７、８は、プリンターテーブル１１の上流の短い距離に配置されている。ロール６ａ、６ｂ及び７の両セットは、図示されていないモーターにより駆動され、このローターは、駆動手段２０により制御され、変わって、プリンター１に配置されている中央制御ユニット１０により制御される。これらの駆動手段２０は、ライン１６にて中央制御ユニット１０に制御的に接続されている。
【００２２】
供給ロール５ａと駆動ロール６ａ、６ｂとの間に位置しているのは、光センサーなどの「ロールの端部の」検知器１８であって、ロール５ａに巻き付けられているペーパーウェブｎ端部の通過を検知するためのものである。検知器１８は、ライン１７により中央制御ユニット１０に制御的に接続されている。
【００２３】
ロールホルダー１３は、図示していない駆動手段により方向Ｃに可動であり、ライン２３により中央制御ユニット１０に制御的に接続されている。
【００２４】
プリントヘッド４によるペーパーウェブＷに配置されたインクパターンの乾燥の程度を感知するセンサー１９は、プリントヘッド４の下流に配置されており、ライン２１により中央制御ユニットに制御的に接続されている。同様に、カッター１２は、ライン２０により中央制御ユニット１０に制御的に接続されている。
【００２５】
プリンター１は、中央制御ユニット１０にデータを入力するためのボタン及びこれと同様の物を有するコントロールパネル１４がさらに設けられている。中央制御ユニット１０は、別のデータステーションにさらに接続されてもよく、プリンター１により実行されるべき印刷ジョブに関連した支持を供する。
【００２６】
図１に示した状況において、ペーパーウェブＷは、ロール５ａに巻きつけられておらず、制御ユニット１０に入力された印刷ジョブのシーケンスに従ってプリントヘッド４により印刷される。
【００２７】
図２では、ロール５ａが完全に巻き付けられておらず且つ端部Ｓが検知器１８を超えて通過している状況を示している。対応する信号は、ライン１７を介して中央制御ユニット１０へと供され、ほぼ同時に中央制御ユニット１０は、ライン１６を介してロール６ａ、６ｂ及び７の駆動を停止するよう駆動手段２０に指示する。ウェブＢの端部は、その後、ロール６ａ、６ｂとの間に係合されるであろう。
【００２８】
加えて、中央制御ユニット１０は、プリントヘッド４を活性化するのを中止し、プリンターヘッド上のウェブをプリンターテーブル１１に沿った静止待機位置に移動させる。その後、図２に示す位置は、追加の乾燥手段（図示せず）を用いようとも用いなくとも、インクを乾燥させるべく一定の時間保持される。熱溶融型インクの場合には、数分であるが、その後、センサー１９は、インクが十分な程度に乾燥されたことを感知し、ライン２１を介して中央制御ユニット１０へと信号が供される。
【００２９】
その後、中央制御ユニット１０は、ライン２０を介してカッター１２を活性化し、カッターは、方向Ｄへと下流に移動し、カッター１２の上流に存在するペーパーウェブ部分Ｗ‘を、カッターの下流に位置するウェブから分離させる。
【００３０】
次に、中央制御ユニット１０は、ロール６ａ、６ｂ及び７を対向方向へと回転させるべく駆動手段２０を制御する。結果として、ウェブ部分Ｗ‘は、供給ステーション２に向かって後方へと移動され、方向Ｅへと放出される。
【００３１】
ウェブＷ‘が放出された後、自動的な様式にて、さらなるセンサー／検知器（図示せず）により感知され、中央制御ユニット１０は、ライン２３を介して、図１のロール５ａの位置を得るべく、方向Ｆへと下方へロール５ｂを移動させるべく、方向Ｃへと互いに離れるように、ローラーホルダー１３のための駆動手段を活性化する。ロール５ｂに巻き付けられているウェブＷのリーディング端部をドライブロール６ａ、６ｂに係合するように親友させるために、本技術分野にて公知の手段が設けられる。
【００３２】
中央制御ユニット１０は、その後、ペーパーウェブＷのリーディング端部Ｗがプリンターテーブル１１上に到着した際、プリントヘッド４を活性化させる。検知器１８が端部Ｓを検知した際実行される印刷ジョブが残存する印刷ジョブのキューを第一に入力し、このジョブが最初に実行されるように、制御ユニット１０は適合される。
【００３３】
図４は、この工程の短いフローチャートを示している。
【００３４】
本発明によるプリンターは、光沢紙の使用に特に適している。
【００３５】
印刷工程における不在モード及び在席モードにおけるロール端部の動作は、検知器１８での「ロール端部の検知」なるイベントによりステップ４０２とともに４０１にて開始する。これは、端部Ｓが検知器１８を通過し、この工程が、現在の印刷領域を印刷した後に印刷工程が停止し、紙の動きが停止し、且つ、印刷キャリッジがホームポジションへと動き、停止するという次のステップ４０３へと続くことに起因する。
【００３６】
次なるステップ４０４では、プリンターのユーザーインターフェースは、「乾燥を停止しますか？」と表示し、プリンターは、紙の乾燥に関して自動的に待機することを決定してもよく（いいえを選択）、プリンターのオペレーターは、後に説明するように、紙の乾燥を停止すべくコントロールパネル１４にて介入してもよい。ステップ４０５では、プリンターは、オペレーター不在モードの状態であり、印刷物の乾燥に必要な時間が満了しているかどうかをチェックし、この時間が乾燥時間よりも短い場合（いいえ）、この工程は、ステップ４０４へと進む。この時間が乾燥時間よりも長い場合（はい）、次のステップ４０６が実行される。この乾燥時間は、紙の種類に依存する。
【００３７】
ステップ４０６では、紙のビットが４５０ｍｍよりも大きい場合（はい）、この紙は、次のステップ４０７にてカッター１２にて切断され、その後、ステップ４０８において、この紙の上流は、ロール６ａ、６ｂ及び７を反対方向に回転することにより引き抜かれ、この紙を供給ステーション２へと導き、紙の通路がこれ以上紙を含まないようにこの紙を方向Ｅへと放出する。一方、紙のビットが４５０ｍｍ未満である場合（ステップ４０６において、いいえ）、次のステップ４０８にて、この紙は、紙を切断することなく即座に引き抜かれる。その後、検知器１８が紙の端部Ｓを検知した場合に行われる印刷ジョブは、第一に、ステップ４０９にて残る印刷ジョブのキューにおいてランク１に配置される。最後にこの印刷工程は、自動的に利用可能な紙ロール上に印刷すべく、ステップ４１０に続いてもよい。次の印刷ロールを使用する場合、例えば、ロール５ｂは、印刷ジョブのための紙を供給するのに使用される。
【００３８】
ステップ４０４においてプリンターオペレーターがコントロールパネル１４により、紙の乾燥を即座にストップすべく介入した場合（はい）、この工程は、在席印刷モードへと進行し、この工程は、ステップ４１１へと進む。ステップ４１１は、ユーザーインターフェース上に、「ｘｍｍ上での印刷を続行しますか？」と表示する。このプリンターユーザーインターフェースは、残る印刷ジョブの印刷に利用可能な紙の長さｘを表示する。
【００３９】
オペレーターは、オペレーターパネルを介して、現在の印刷ジョブにおけるｘｍｍ上に印刷を続けるべく命令してもよく（はい）、この印刷工程は、ステップ４１２に続くか、オペレーターは、オペレーターパネルを介して、印刷を停止すべく命令してもよく（いいえ）、この工程は、ステップ４１３へと続く。代替的に、このプリンター自体、プリンターのデフォルトの設定に依存して、ステップ４１１にてこの工程を継続する方法を決定する。
例えば、印刷の質（ｐｒｉｎｔ  ｑｕａｌｉｔｙ；ＰＱ）が保証されないステップ４１２においてプリンターが自動的に印刷ジョブの印刷を続けることを決定したり、プリンターが自動的にステップ４１１において、印刷ジョブの印刷を停止することを決定し（いいえ）、ステップ４１３においてこの工程を継続する。印刷の質が保証されないステップ４１２における印刷ジョブの終了の後、この工程は、ステップ４１３へと継続され、ここで、紙は、駆動ロール７により時計周りに移動され、残る紙は、次のステップ４１４において除去されてもよく、プリンターテーブルから残る紙が除去されるべくユーザーインターフェースにメッセージを表示する。オペレーターがプリンターテーブルから残る紙を除去した後、オペレーターは、次のステップ４１５にて、オペレーターパネル上にて、紙が除去され（いいえ）、この工程がステップ４１６へと続いていることを確認してもよい。デフォルトの印刷設定に依存して、プリンターはステップ４１５にて一定の時間の後、紙が取り除かれてもよく（いいえ）、あるいは、この工程がステップ４１６へと継続してもよいことを自動的に決定してもよい。スキャナーは、ステップ４１６において、プリンターテーブル１１の一部であるサクションボックス（図示せず）に紙がいまだ存在しているかどうかをチェックする。サクションボックスに紙がいまだ存在している場合、この工程は、ステップ４１４へと続けられる。サクションボックスに紙が存在しない場合（紙なし）、この工程は、ステップ４１７へと続き、ユーザーインターフェースは、印刷ジョブをキューに対して再開すべきかどうかを表示する。この印刷ジョブを再開する理由は、印刷の質が十分でないということであってもよい。オペレーターは、オペレーターパネルによりプリンターに印刷ジョブを再開すべく指示してもよく、ステップ４０９において、印刷ジョブをキューの第１位置へと配置する。この印刷ジョブの再開の後、この工程は、ステップ４１０において、このキューの第１ジョブを印刷すべく継続する。あるいは、ステップ４１７において、オペレーターは、オペレーターパネルによりキュー次なる印刷ジョブ（いいえ）を継続すべくプリンターに指示を与えてもよく、この工程は、ステップ４１０へと続く。最後にこの工程は、ステップ４１８により終了される。
【図面の簡単な説明】
【００４０】
【図１】本発明によるプリンターの概略的な正面図を示しており、通常の制御中に関係のある部品のみを示している。
【図２】ロールの端部が検知されるステージにおける図１のプリンターを示している。
【図３】ペーパーウェブの端部分を放出する間の図１及び２のプリンターを示している。
【図４】図１乃至３のプリンターの制御に関するフローチャートを示している。
【符号の説明】
【００４１】
１  プリンター
２  ウェブ供給ステーション
３  プリンターステーション
４  プリントヘッド
７  駆動／圧力ロール組立品
８  駆動／圧力ロール組立品
１０  中央制御ユニット
１１  プリンターテーブル
１２  ペーパーカッター
１３  ロールホルダー
１４  コントロールパネル
１６  ライン
１７  ライン
１８  検知器
１９  センサー
２０  駆動手段
２１  ライン
２３  ライン
１００  フレーム
５ａ  ロール
５ｂ  ロール
６ａ  駆動ロール
６ｂ  駆動ロール
Ａ  方向
Ｂ  方向
Ｃ  方向
Ｄ  方向
Ｅ  方向
Ｓ  端部
Ｗ  ペーパーウェブ
【図１】
2004338382.tif 000003
【図２】
2004338382.tif 000004
【図３】
2004338382.tif 000005
【図４】
2004338382.tif 000006